(57)【特許請求の範囲】
【請求項１】
筐体と、マザーボードとアンテナモジュールとを備える移動端末であって、前記筐体は収納空間を有し、前記マザーボードは前記収納空間内に収納され、且つ、その表面に接地点が設けられ、前記筐体は金属リアカバーを備え、前記金属リアカバーは少なくとも一部が前記アンテナモジュールの放射体とされ、且つ互いに絶縁されて、設置される第１金属部、第２金属部と第３金属部を備え、前記アンテナモジュールは寄生結合シートと動的スイッチを備え、前記寄生結合シートは前記第２金属部における、前記マザーボードに向ける表面に貼り付けられ、前記寄生結合シートは前記第２金属部に結合され、前記動的スイッチを介して前記接地点に電気的に接続され、
前記第１金属部は前記金属リアカバーの一つの側面枠体及び前記側面枠体の両端から延びる長さ同一の一部の側面枠体により形成され、前記第２金属部は前記金属リアカバーの頂面の矩形金属片であり、前記第３金属部は前記移動端末の背部をほぼ覆っている金属中蓋であり、前記第２金属部は前記第１金属部と前記第３金属部との間に挟まれ、且つ、前記第２金属部は前記第３金属部に合わせて、前記移動端末の背部の全体を覆っており、
前記第１金属部と前記第２金属部は前記アンテナモジュールの放射体である、
ことを特徴とする、移動端末。
【請求項２】
前記金属リアカバーは更に絶縁テープを備え、前記絶縁テープは前記第１金属部、第２金属部及び第３金属部の間の境界に設置される、ことを特徴とする、請求項１に記載の移動端末。
【請求項３】
前記寄生結合シートは基板と金属結合シートを備え、前記基板は前記第２金属部における、前記マザーボードに向ける表面に貼り付けられ、前記金属結合シートは前記基板における、前記マザーボードに向ける表面に貼り付けられ、前記動的スイッチに電気的に接続される、ことを特徴とする、請求項１に記載の移動端末。
【請求項４】
前記動的スイッチはコンデンサー型スイッチ又はインダクタンス式スイッチである、ことを特徴とする、請求項１に記載の移動端末。
【請求項５】
前記マザーボードの表面には更に給電点が設けられ、前記給電点は前記第２金属部と結合するように設けられる、ことを特徴とする、請求項１に記載の移動端末。
【請求項６】
前記アンテナモジュールは更に接続部材を備え、前記接続部材は前記マザーボードの表面に設置され、且つ、前記第１金属部に電気的に接続されている、ことを特徴とする、請求項１に記載の移動端末。
【請求項７】
前記アンテナモジュールはＬＴＥアンテナモジュールである、ことを特徴とする、請求項１〜６のいずれかに記載の移動端末。
【発明の詳細な説明】
【技術分野】
【０００１】
本発明は通信技術分野に関し、特に移動端末に関する。
【背景技術】
【０００２】
携帯電話、タブレットＰＣなどの移動端末装置の持続的な発展に伴い、移動通信の端末信号、通話効果と外観に対する人々の要求はますます高くなっている。全面金属のリアカバーを有する移動端末はそれが有する金属質感、頑丈性と耐摩耗性能等の特徴で、多くの消費者に好まれている。
【０００３】
しかしながら、全面金属のリアカバーは移動端末装置内におけるアンテナモジュールに対して信号を遮断する影響を与える。金属リアカバーがアンテナ信号に干渉することを避けるために、関連技術における移動端末装置において、一般的に金属リアカバーにおけるアンテナモジュールと対向する部分を非金属とし、残り部分は金属線引き加工される。しかしながら、このような設計は金属部分と非金属部分に境界があるため、筐体の外観が高い一致性を有することを保証できず、移動端末装置の全体の外観に影響を与える。もう1つの改良された移動端末装置は、アンテナモジュール全体を金属リアカバーに移し、金属リアカバーをアンテナ放射体としたものである。しかしながら、このような構成にはアンテナ共振周波数と帯域幅が調整しにくいという欠点がある。
【０００４】
従って、アンテナ共振周波数と帯域幅が調整可能な移動端末を提供する必要がある。
【発明の概要】
【発明が解決しようとする課題】
【０００５】
本発明は上記技術的課題を解決するためにアンテナの共振周波数が調整可能な移動端末を提供することを目的とする。
【課題を解決するための手段】
【０００６】
本発明が提供する移動端末は筐体と、マザーボードとアンテナモジュールとを備える。前記筐体は収納空間を有し、前記マザーボードは前記収納空間内に収納され、且つ、その表面に接地点が設けられる。前記筐体は金属リアカバーを備え、前記金属リアカバーは少なくとも一部が前記アンテナモジュールの放射体とされ、且つ互いに絶縁されて、設置される第１金属部、第２金属部と第３金属部を備える。前記アンテナモジュールは寄生結合シートと動的スイッチを備え、前記寄生結合シートは前記第２金属部における、前記マザーボードに向ける表面に貼り付けられ、前記寄生結合シートは前記第２金属部に結合され、前記動的スイッチを介して前記接地点に電気的に接続される。
【０００７】
本発明が提供する移動端末の一好ましい実施例において、前記金属リアカバーは更に絶縁テープを備える。前記絶縁テープは前記第１金属部、第２金属部及び第３金属部の間の境界に設置される。
【０００８】
本発明が提供する移動端末の一好ましい実施例において、前記第１金属部は前記金属リアカバーの一つの側面枠体及び前記側面枠体の両端から延びる長さ同一の一部の側面枠体により形成される。前記第２金属部は前記金属リアカバーの頂面の矩形金属片である。
【０００９】
本発明が提供する移動端末の一好ましい実施例において、前記第１金属部と前記第２金属部は前記アンテナモジュールの放射体である。
【００１０】
本発明が提供する移動端末の一好ましい実施例において、前記寄生結合シートは基板と金属結合シートを備える。前記基板は前記第２金属部における、前記マザーボードに向ける表面に貼り付けられ、前記金属結合シートは前記基板における、前記マザーボードに向ける表面に貼り付けられ、前記動的スイッチに電気的に接続される。
【００１１】
本発明が提供する移動端末の一好ましい実施例において、前記動的スイッチはコンデンサー型スイッチ又はインダクタンス式スイッチである。
【００１２】
本発明が提供する移動端末の一好ましい実施例において、前記マザーボードの表面には更に給電点が設けられる。前記給電点は前記第２金属部と結合するように設けられる。
【００１３】
本発明が提供する移動端末の一好ましい実施例において、前記アンテナモジュールは更に接続部材を備える。前記接続部材は前記マザーボードの表面に設置され、且つ、前記第１金属部に電気的に接続されている。
【００１４】
本発明が提供する移動端末の一好ましい実施例において、前記アンテナモジュールはＬＴＥアンテナモジュールである。
【発明の効果】
【００１５】
本発明においては、寄生結合シートが全面金属のリアカバーの移動端末に対して結合することにより、前記移動端末のアンテナモジュールに対して同調することができる。よって、前記アンテナモジュールの帯域幅と、異なる周波数でのアンテナモジュールの効率を向上させる。動的スイッチは寄生結合シートのオンオフを制御できるため、移動端末のアンテナモジュールの共振周波数に対して結合することにより、前記アンテナモジュールが異なる周波数バンドにおいて何れも高い効率を有するようにする。
【００１６】
本発明の実施例の技術方案をより明確に説明するために、以下は実施例の記載に必要な図面に対して簡単に説明する。明確なことに、下記の記載における図面は本発明の一部の実施例に過ぎない。当業者にとっては、創造的な労働を要しない場合、これらの図面に基づいてその他の図面を得ることもできる。
【図面の簡単な説明】
【００１７】
【図１】本発明が提供する移動端末の一実施例の構成分解模式図。
【図２】図１に示す移動端末の断面構成模式図。
【図３】図１に示すアンテナモジュールが動的スイッチがオフ又はオンの状態にある場合の、異なる周波数条件での効率図。
【発明を実施するための形態】
【００１８】
本発明の解決しようとする技術的課題、技術方案及び有益な効果をより明確にするために、以下は図面及び実施例に合わせて、本発明に対して更に詳しく説明する。ここで記載された具体的な実施例は本発明を説明するためのものに過ぎず、本発明を限定するものではないと理解すべきである。
【００１９】
図１と図２を共に参照し、図１は本発明が提供する移動端末の一実施例の構成分解模式図であり、図２は本発明が提供する移動端末の一実施例の断面模式図である。前記移動端末１００は筐体１１と、マザーボード１２とアンテナモジュール１３とを備える。前記筐体１１は収納空間を有する。前記アンテナモジュール１３は前記マザーボード１２の表面に設置され、前記マザーボード１２と前記アンテナモジュール１３は何れも前記筐体１１の収納空間内に収納される。
【００２０】
前記筐体１１は金属リアカバー１１１とディスプレイスクリーン１１２を備える。前記金属リアカバー１１１と前記ディスプレイスクリーン１１２とは合わせて収納空間を形成する。
【００２１】
前記金属リアカバー１１１は第１金属部１１１１、第２金属部１１１２、第３金属部１１１３と絶縁テープ１１１４を備える。前記絶縁テープ１１１４は前記第１金属部１１１１、前記第２金属部１１１２と前記第３金属部１１１３との間の隙間内に設置される。
【００２２】
前記第１金属部１１１１は前記移動端末１００の頂部に位置する金属ヘッドカバーであり、前記第３金属部１１１３は前記移動端末１００の背部をほぼ覆っている金属中蓋であり、前記第２金属部１１１２は前記第１金属部１１１１と第３金属部１１１３との間に挟まれ、且つ、前記第２金属部１１１２は前記第３金属部１１１３に合わせて、前記移動端末１００の背部の全体を覆っている。そのうち、前記第２金属部１１１２全体は矩形の板状に構成される。本実施例において、前記第２金属部１１１２は長さが８３．５ｍｍであり、幅が１０．８ｍｍである。
【００２３】
前記絶縁テープ１１１４は絶縁性ゴム材であり、前記第１金属部１１１１、前記第２金属部１１１２と前記第３金属部１１１３が絶縁的に接続して設置されることに用いられる。本実施例において、前記絶縁テープ１１１４は幅が１．５ｍｍである。
【００２４】
本発明において、前記第１金属部１１１１と前記第２金属部１１１２は前記アンテナモジュール１３の放射体であり、電磁波の送受信に用いられる。
【００２５】
前記マザーボード１２は前記アンテナモジュール１３を載置することに用いられる。また、前記移動端末１００におけるその他の機能装置、例えばマイクロフォン、スピーカ等を載置することにも用いられる。
【００２６】
本発明の実施例において、前記アンテナモジュール１３はＬＴＥアンテナモジュールであり、そのうち、前記ＬＴＥアンテナモジュールの周波数バンドは８２４ＭＨｚ〜９６０ＭＨｚ又は１７１０ＭＨｚ〜２６９０ＭＨｚである。勿論、その他の代替可能な実施例において、前記アンテナモジュールは他種のアンテナモジュールであってもよく、例えばダイバーシティアンテナモジュール、ＷＩＦＩ アンテナモジュール等が挙げられる。
【００２７】
前記アンテナモジュール１３は放射体、前記マザーボード１２に設置されるデータ処理モジュール（図示せず）、接地点１３１、給電点１３２、接続部材１３３、動的スイッチ１３４と寄生結合シート１３５を備える。
【００２８】
具体的に、本発明において、前記放射体は前記第１金属部１１１１と前記第２金属部１１１２である。
【００２９】
そのうち、前記データ処理モジュール、前記接地点１３１、前記給電点１３２と前記動的スイッチ１３４は前記マザーボード１２の表面に設置される。そのうち、前記データ処理モジュールは前記接地点１３１に電気的に接続され、前記接地点１３１は前記動的スイッチ１３４に接続され、前記動的スイッチ１３４の他端は前記第２金属部１１１２の内表面に貼り付けられた前記寄生結合シート１３５に電気的に接続され、前記寄生結合シート１３５は前記第２金属部１１１２に結合され、前記第２金属部１１１２は前記給電点１３２に結合され、且つ、前記給電点１３２は前記データ処理モジュールに電気的に接続され、これにより、回路が形成される。
【００３０】
前記接続部材１３３は同様に前記マザーボード１２の表面に設置され、且つ、前記第１金属部１１１１に電気的に接続され、前記第１金属部１１１１は前記動的スイッチ１３４に結合するように設けられ、前記動的スイッチ１３４は前記接地点１３１に電気的に接続され、前記接地点は前記データ処理モジュールに電気的に接続され、前記データ処理モジュールは前記接続部材１３３に電気的に接続され、これにより、もう1つの回路が形成される。
【００３１】
本実施例において、前記接続部材１３３はメタルドームである。
【００３２】
前記動的スイッチ１３４はコンデンサー、インダクタンス又は同調可能な部品であってよく、且つ、前記動的スイッチ１３４は両端がそれぞれ前記マザーボード１２の上に位置する接地点１３１と前記寄生結合シート１３５に接続されることにより、前記寄生結合シート１３５の動作状態を制御する。
【００３３】
前記寄生結合シート１３５は基板１３５１と金属結合シート１３５２を備える。前記金属結合シート１３５２は前記基板１３５１に貼り付けられ、且つ、前記基板１３５１は前記第２金属部１１１２の表面に貼り付けられる。好ましくは、前記基板１３５１はフレキシブル回路基板であり、その厚さが０．２ｍｍ〜１ｍｍである。そのうち、前記金属結合シート１３５２と前記第２金属部１１１２は前記基板１３５１を挟むことによりコンデンサーを形成する。前記寄生結合シート１３５は寄生結合によりメインアンテナの共振周波数を変更する。
【００３４】
送受信の際に、前記動的スイッチ１３４は前記寄生結合シート１３５の動作状態を制御することにより、前記アンテナモジュール１３の共振周波数を同調し、これにより、前記アンテナモジュール１３が８２４ＭＨｚ〜９６０ＭＨｚと１７１０ＭＨｚ〜２６９０ＭＨｚとの二つの周波数バンドにおいて、何れも高い効率を維持するようにする。
【００３５】
図３を参照し、前記アンテナモジュール１３が状態１にある場合、前記動的スイッチ１３４はオフ状態にあり、前記寄生結合シート１３５は結合しない。図３における実線Ｃ１を参照して、このとき、周波数が１９９０ＭＨｚより大きい場合に放射体は高い効率を有するが、８２４ＭＨｚ〜９６０ＭＨｚの領域において、前記放射体の効率が迅速に低下する傾向にあるため、この周波数領域において、前記アンテナモジュール１３の効率はユーザーのニーズを満たすことができなくなる。
【００３６】
前記アンテナモジュールが状態２にある場合、前記動的スイッチ１３４はオン状態にあり、前記寄生結合シート１３５は前記放射体の共振周波数に対して結合調節を行う。図３における点線Ｃ２を参照して、このとき、８２４ＭＨｚ〜９６０ＭＨｚの周波数バンドにおける前記アンテナモジュール１３の効率を大きく変えることができる。図３を参照して、前記動的スイッチ１３４がオン状態にある場合、前記放射体は８２４ＭＨｚ〜９６０ＭＨｚの周波数バンドにおいて、高い効率を有するが、１７１０ＭＨｚ〜２６９０ＭＨｚの周波数バンドにある場合、前記アンテナモジュール１３の効率の変動が大きい。１７１０ＭＨｚ〜１９３０ＭＨｚの周波数バンドにある場合、前記アンテナモジュール１３の効率は３０％以上であるが、周波数が１９３０ＭＨｚより大きくなった後、前記アンテナモジュール１３の効率は急激に低下する。前記アンテナモジュール１３は２２９０ＭＨｚ近傍における狭い周波数バンドにおいて、効率が向上したが、全体的に言えば、１７１０ＭＨｚ〜２６９０ＭＨｚの周波数領域において、前記放射体の効率が不安定であり、ユーザーのニーズを満たすことができない。前記動的スイッチ１３４がオンになる場合、前記寄生結合シート１３５は前記放射体を結合することができる。このとき、前記アンテナモジュールは１７１０ＭＨｚ〜２６９０ＭＨｚの周波数バンドにおいて高い共振周波数及び効率を有するため、ユーザーのニーズを満たすことができる。
【００３７】
本発明において、寄生結合シートが移動端末のアンテナモジュールに対して結合することにより、前記アンテナモジュールの帯域幅と、異なる周波数でのアンテナモジュールの効率を向上させることができる。動的スイッチは寄生結合シートが異なるインダクタンスコンデンサーを選択して接地するように制御できるため、移動端末アンテナモジュールの共振周波数に対して結合することにより、前記アンテナモジュールが異なる周波数バンドにおいて何れも高い効率を有するようにする。
【００３８】
上述したのは本発明の実施例に過ぎず、本発明の特許範囲を限定するものではない。本発明の明細書の内容に基づいた等価な構造又は等価なフロー変換、又は、直接的もしくは間接的にその他の関連技術分野に応用することは、何れも本発明の保護範囲に含まれる。
【図１】
0006275687.tif 000002
【図２】
0006275687.tif 000003
【図３】
0006275687.tif 000004